【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
断面形状が台形のレンズ部が所定の間隔で配列されるとともに、隣り合う前記レンズ部間の楔形部は、前記レンズ部と、同一又は異なる材料が充填され、前記楔形部は映像源側もしくは観察者側に先端を有し、前記楔形部に光吸収効果があることを特徴とするコントラスト向上シート。
【請求項２】
前記コントラスト向上シートを構成するシートの最も映像源側の面に、プリズムレンズが設けられていることを特徴とする請求項１に記載のコントラスト向上シート。
【請求項３】
前記プリズムレンズは垂直方向に光を制御することを特徴とする請求項２に記載のコントラスト向上シート。
【請求項４】
前記プリズムレンズは、前記シート面を底面とする三角柱プリズムが配列されており、前記三角柱プリズムが前記底面となす角度が、法線を上向きに持つ５°〜２０°の緩斜面と法線を下向きに持つ５０°〜９０°の急斜面とを備えることを特徴とする請求項２〜３のいずれか１項に記載のコントラスト向上シート。
【請求項５】
前記楔形部の断面形状が観察者側に幅広の下底面を有する略台形であることを特徴とする請求項１〜４のいずれか１項に記載のコントラスト向上シート。
【請求項６】
前記楔形部の斜面部分が出光面の法線となす角度をθとしたとき、θが０°〜１５°の範囲であることを特徴とする請求項１〜５のいずれか１項に記載のコントラスト向上シート。
【請求項７】
前記楔形部の少なくとも斜面部分を構成する材料の屈折率Ｎｘと、前記レンズ部を構成する材料の屈折率Ｎｙとの間に
Ｎｘ−Ｎｙ≧−０．０１
なる関係を有することを特徴とする請求項１〜６のいずれか１項に記載のコントラスト向上シート。
【請求項８】
前記楔形部に光吸収粒子が添加されていることを特徴とする請求項１〜７のいずれか１項に記載のコントラスト向上シート。
【請求項９】
請求項８において、前記楔形部が略台形であって、前記光吸収粒子の平均粒径が１μｍ以上で、前記台形の上底面の幅以下であることを特徴とするコントラスト向上シート。
【請求項１０】
前記光吸収粒子の添加量が１０〜５０体積％であることを特徴とする請求項８又は９に記載のコントラスト向上シート。
【請求項１１】
請求項１〜１０のいずれか１項に記載のコントラスト向上シートの少なくとも一面側に、ＡＲ、ＡＳ、ＡＧ、タッチセンサーのうちのいずれか、又はこれらの内複数の付加機能が付与されていることを特徴とするコントラスト向上シート。
【請求項１２】
前記楔形部の２つの斜面部分が出光面の法線となす各々の角度が異なっていることを特徴とする請求項１〜１１のいずれか１項に記載のコントラスト向上シート。
【請求項１３】
請求項１２に記載の表示装置に用いるコントラスト向上シートにおいて、前記楔形部の２つの斜面部分が出光面の法線となす各々の角度は、上側の角度が下側の角度より大きいことを特徴とするコントラスト向上シート。
【請求項１４】
請求項１〜１３のいずれか１項に記載のコントラスト向上シートを、前記断面形状台形のレンズ部が横ストライプとなる形態で用いることを特徴とする表示装置。
【手続補正２】
【補正対象書類名】明細書
【補正対象項目名】０００６
【補正方法】変更
【補正の内容】
【０００６】
請求項１の発明は、断面形状が台形のレンズ部が所定の間隔で配列されるとともに、隣り合う前記レンズ部間の楔形部は、前記レンズ部と、同一又は異なる材料が充填され、前記楔形部は映像源側もしくは観察者側に先端を有し、前記楔形部に光吸収効果があることを特徴とするコントラスト向上シートである。
請求項２の発明は、請求項１に記載のコントラスト向上シートにおいて、前記コントラスト向上シートを構成するシートの最も映像源側の面に、プリズムレンズが設けられていることを特徴とするコントラスト向上シートである。
請求項２の発明においては、プリズムレンズは連続プリズム形状がより好ましい。
【手続補正３】
【補正対象書類名】明細書
【補正対象項目名】０００７
【補正方法】変更
【補正の内容】
【０００７】
請求項３の発明は、請求項２に記載のコントラスト向上シートにおいて、前記プリズムレンズは垂直方向に光を制御することを特徴とする。
【手続補正４】
【補正対象書類名】明細書
【補正対象項目名】０００８
【補正方法】変更
【補正の内容】
【０００８】
請求項４の発明は、請求項２又は３に記載のコントラスト向上シートにおいて、前記プリズムレンズは、前記シート面を底面とする三角柱プリズムが配列されており、前記三角柱プリズムが前記底面となす角度が、法線を上向きに持つ５°〜２０°の緩斜面と法線を下向きに持つ５０°〜９０°の急斜面とを備えることを特徴とする。
本発明においては、観察者に好ましい上方の適正な視野角を３０°〜６０°と設定し、それに対応してプリズムレンズの緩斜面の角度を定めている。
すなわち、視野角を３０°とするとプリズムレンズの緩斜面の角度は約２０°、視野角４５°とすると緩斜面の角度は約１２°、視野角６０°とすると緩斜面の角度は約５°となる。
また、本発明において、プリズムレンズの角度を変えて、上側を緩斜面、下側を急斜面とするのは、外光は上方から入射する場合が多く、それをシート裏面のプリズムレンズで効果的に反射させ、楔形部で吸収し、観察者側に行かせないようにするためである。
本発明において、プリズムレンズの急斜面の角度は、プリズムレンズ製造上の制約とコントラスト向上効果により好ましい角度範囲が設定される。
プリズムレンズの急斜面の角度が、９０°を超えるとレンズの製造が困難となり、５０°未満ではコントラストが低下する。
上記のように、上方から入射した外光は、プリズムレンズで反射されて楔形部で吸収され、コントラストが向上する。
一方、映像源側からの映像光はプリズムレンズにより若干下向きになるが、指向性の少ない拡散光を用いるディスプレイの場合には、視野角にはほとんど影響しない。
【手続補正５】
【補正対象書類名】明細書
【補正対象項目名】０００９
【補正方法】変更
【補正の内容】
【０００９】
請求項５の発明は、請求項１〜４のいずれか１項に記載のコントラスト向上シートにおいて、前記楔形部の断面形状が観察者側に幅広の下底面を有する略台形であることを特徴とする。
楔形部を略等脚台形とすることにより、楔形部の上底面の頂角が鈍角となり、楔形部を作製するための金型等が容易に製造でき、さらに楔形部の強度が向上し、高品質のコントラスト向上シートを安定して製造することができる。
【手続補正６】
【補正対象書類名】明細書
【補正対象項目名】００１０
【補正方法】変更
【補正の内容】
【００１０】
請求項６の発明は、請求項１〜５のいずれか１項に記載のコントラスト向上シートにおいて、前記楔形部の斜面部分が出光面の法線となす角度をθとしたとき、θが０°〜１５°の範囲であることを特徴とする。
本発明においては、映像光を楔形部の斜面で反射し、視野角を広くするために、上記の角度範囲を好ましい角度としている。
角度θが１５°を超えると、十分なコントラスト向上効果もしくは視野角制御効果を達成するために、ブラックストライプＢＳの幅を広くする必要が生じるので、光の利用効率が低下し、輝度が低下してしまう。
さらに、ＢＳ幅が広いと製造がより難しくなるという問題を生じる。
また、本発明においては、断面形状楔形部の斜面部分が出光面の法線となす角度θは、必ずしも楔形部の上下で同一角度である必要はなく、上下の角度が０°〜１５°の範囲内において、例えば、０°と１０°のように、異なる角度を有することも可能である。
【手続補正７】
【補正対象書類名】明細書
【補正対象項目名】００１１
【補正方法】変更
【補正の内容】
【００１１】
請求項７の発明は、請求項１〜６のいずれか１項に記載のコントラスト向上シートにおいて、前記楔形部の少なくとも斜面部分を構成する材料の屈折率Ｎｘと、前記レンズ部を構成する材料の屈折率Ｎｙとの間に
Ｎｘ−Ｎｙ≧−０．０１
なる関係を有することを特徴とする。
本発明において、屈折率Ｎｘと屈折率Ｎｙとの屈折率差をほとんどなくすことにより、楔形部に小さい角度で入射した光は全反射せずに楔形部に吸収され、実質的にゴーストの発生が抑えられる。
Ｎｘ−Ｎｙ＝−０．０１の場合は、斜面に対して約８４°以上の角度で入射する映像光は全反射するが、この範囲であれば実質的に問題となるレベルのゴーストにはならない。  Ｎｘ−Ｎｙ＝−０．０１未満では、観察者側の位置の１０°〜３０°辺りにゴーストの影響が生じてきて好ましくない。
【手続補正８】
【補正対象書類名】明細書
【補正対象項目名】００１２
【補正方法】変更
【補正の内容】
【００１２】
請求項８の発明は、請求項１〜７のいずれか１項に記載のコントラスト向上シートにおいて、前記楔形部に光吸収粒子が添加されていることを特徴とする。
【手続補正９】
【補正対象書類名】明細書
【補正対象項目名】００１３
【補正方法】変更
【補正の内容】
【００１３】
請求項９の発明は、請求項８に記載のコントラスト向上シートにおいて、前記楔形部が略台形であって、前記光吸収粒子の平均粒径が１μｍ以上で、前記台形の上底面の幅以下であることを特徴とする。
【手続補正１０】
【補正対象書類名】明細書
【補正対象項目名】００１４
【補正方法】変更
【補正の内容】
【００１４】
請求項１０の発明は、請求項８又は９に記載のコントラスト向上シートにおいて、前記光吸収粒子の添加量が１０〜５０体積％であることを特徴とする。
【手続補正１１】
【補正対象書類名】明細書
【補正対象項目名】００１５
【補正方法】変更
【補正の内容】
【００１５】
請求項１１の発明は、請求項１〜１０のいずれか１項に記載のコントラスト向上シートにおいて、少なくとも一面側に、ＡＲ、ＡＳ、ＡＧ、タッチセンサーのうちのいずれか、又はこれらの内複数の付加機能が付与されていることを特徴とする。
【手続補正１２】
【補正対象書類名】明細書
【補正対象項目名】００１６
【補正方法】変更
【補正の内容】
【００１６】
請求項１２の発明は、請求項１〜１１のいずれか１項に記載のコントラスト向上シートにおいて、前記楔形部の２つの斜面部分が出光面の法線となす各々の角度が異なっていることを特徴とする
【手続補正１３】
【補正対象書類名】明細書
【補正対象項目名】００１７
【補正方法】変更
【補正の内容】
【００１７】
請求項１３の発明は、請求項１２に記載の表示装置に用いるコントラスト向上シートにおいて、前記楔形部の２つの斜面部分が出光面の法線となす各々の角度は、上側の角度が下側の角度より大きいことを特徴とする。
【手続補正１４】
【補正対象書類名】明細書
【補正対象項目名】００１８
【補正方法】変更
【補正の内容】
【００１８】
請求項１４の発明は、請求項１〜１３のいずれか１項に記載のコントラスト向上シートを、前記断面形状台形のレンズ部が横ストライプとなる形態で用いることを特徴とする表示装置により前記課題を解決するものである。